(57)【要約】      （修正有）【課題】複数本数を必要とせず、一聖地あたりの納経印を複数個数取得可能で、さらには良好な物理的剛性を有する巡礼用掛軸を提供する。【解決手段】巡礼用掛軸１は、一聖地につき複数納経印を本紙２に記入する為の記載枠６、７が共巻３上に升目状に記載される。【選択図】図１
0003231042.tif 000002
【実用新案登録請求の範囲】
【請求項１】
一聖地につき複数納経印を可能とする外観形状を有する掛軸。
【請求項２】
前記複数納経印形状が、主たる納経印及び墨書等と、主たる納経印及び墨書等以外の複数の納経印及び墨書等を可能とする外観形状である、請求項１に記載の巡礼用掛軸。
【考案の詳細な説明】
【技術分野】
【０００１】  本考案は、複数納経印を可能とする外観形状を有する掛軸に関する。
【背景技術】
【０００２】  従来の巡礼用掛軸の使用について説明を以下に行う。【０００３】  従来の巡礼用掛軸は、信仰上の聖地や聖域に複数ヶ所に参詣する宗教的行動のうち、信仰によって定義される三十三、八十八といった聖域に参詣した証しとして、納経、（いわゆる御朱印）を、掛軸、帳面、繊維製儀礼用装束などに押印、墨書等をもって受けることができる。この内、掛軸は、主たる納経印及び墨書等のみを受ける製品しか存在せず、主たる納経印及び墨書等以外の複数の納経印及び墨書等、例えば御詠歌納経を受ける場合、別の掛軸を用意し、前掲の主たる納経印及び墨書等のみを受ける掛軸とは、別に持ち運ぶ必要があり、巡礼後、掛軸を繊維等で表装して床の間に掲示する際において場所を確保できないほか、葬送儀礼の際、死者の枕元に掲示する際も掲示用品が複数必要になり、煩雑である。【０００４】  そこで、主たる納経印及び墨書等を収集する掛軸と、主たる納経印及び墨書等以外の納経印及び墨書等を収集する掛軸を移動運搬するには、従来は、個々に、風呂敷などの梱包用品を利用して持ち運ぶ方法しかない。床の間などに掲示する方法として、以下のような方法が行われている。
第一の方法は、掲示用部材を複数用意して順に掲示する方法である。第二の方法は、掲示する掛軸を順に取り替えて交代する方法である。
【考案の概要】
【考案が解決しようとする課題】
【０００５】  しかしながら、第一の方法は、折釘、軸吊りといった掲示用の部材を多数用意して掛軸の幅に合わせて建築物に固定しなければならず、複数掲示を行わない際の建築物の意匠を大きく損ねる。
第二の方法は、一度に掲示できないため、収納したままの掛軸が発生することとなり、出し入れが煩雑であるほか、宗教的意義が減少する。【０００６】  従来技術の前記課題に鑑み、本考案では、複数での掲示をすることなく、交代する掲示による煩雑性を解消し、宗教的意義を維持することを課題としている。
【課題を解決するための手段】
【０００７】  すなわち本考案は、前記課題を解決するものであり、一本の掛軸に、主たる納経印及び墨書等ならびに、主たる納経印及び墨書等以外の複数の納経印及び墨書等が記入可能な形式に記入枠をととのえた掛軸に関するものである。
【考案の効果】
【０００８】  本考案に係る掛軸によれば、従来、複数の納経を受ける際に手作業で行っていた掛軸の取り出しから収納までの一連の作業を一度に効率化することができ、作業時間を短縮することができる。また、主たる納経印及び墨書等ならびに、主たる納経印及び墨書等以外の複数の納経印及び墨書等が一面に例えば列記されることで、従属関係を一目に理解することができ、さらには、納経印及び墨書等の数が増加することで、より宗教的価値を向上させることができる。【０００９】  上記に加え、本考案に係る掛軸は、宗教用品としての使用方法のほか、美術品として鑑賞用途に使用することもでき、容易に運搬携帯使用することができる。
【図面の簡単な説明】
【００１０】
【図１】図１は、本考案の一実施形態である掛軸の正面図である。
【考案を実施するための形態】
【００１１】  本考案に係る掛軸は、一ヶ寺あたりの納経印及び墨書等が複数記載設定された外観形状を有することを特徴とする。すなわち、前記掛軸は基本となる主たる納経印及び墨書等の横に主たる納経印及び墨書等以外の納経印及び墨書等を並べて理解が進むように工夫された外観形状を有するものである。
以下、主たる納経印及び墨書等の横に主たる納経印及び墨書等以外の納経印及び墨書等を並べて表記している形状である掛軸について説明する。
【００１２】  但し、本考案に係る掛軸は、基本となる掛軸の表面形状が、主たる納経印及び墨書等の横に主たる納経印及び墨書等以外の納経印及び墨書等を並べて上下左右のいずれかに隣接表記している形状である掛軸に限定されない。すなわち、一ヶ寺あたりの納経印及び墨書等の位置や順序はどのような配置や順序であってもよいし、外形は長方形以外に円形、楕円形、突起などを有する立体構造、一部を特定の形状に切除してあるといった実現可能な形状であればどのような実施形態であってもよい。
【００１３】  本考案の一実施形態である掛軸の正面図を図１に示すが、正面形状が長方形で納経印及び墨書等を一聖地について１つの記入欄をもつ従来製品を基本として、記入欄を複数に増加させた外観形状を取る掛軸である。
この様な掛軸は、基本となる掛軸の幅と長さを記入欄の数を倍増させるため、幅の広い絹本ないし類似素材による生地を織成し、また、軸棒および八双棒を作製し、記入欄を縮小することなく、主たる納経印及び墨書等の横に主たる納経印及び墨書等以外の納経印及び墨書等を並べて記載できる記入枠を記載すること、及び表具材料の強化によって、本考案に係る掛軸を得ることができる。
【００１４】  掛軸の一聖地あたりの記入枠数は特に限定されないが、伝統仏教における聖地の多くには、御詠歌と呼ばれる特定の短歌が設定されており、場合によっては勤行の際に次第の一部として旋律に乗せて唱えるという宗教行為から鑑みれば、本尊納経を主たる納経印及び墨書等部分に記入し、その横に御詠歌納経を主たる納経印及び墨書等以外の納経印及び墨書等部分に横に並べて記入する外観形状が好ましく、基本となる掛軸が長方形であることが伝統的な掛軸の様式からは好ましい。
【００１５】  本考案は、前記構成を取ることにより、掲示時に歪むことのないよう、軸棒をはじめとする全ての部材を、軸方向、ねじれ方向ともに従来製品に比べて強化もしくは剛性が付与された材料を使用する必要がある。そのため、破損する確率が少ないまま使用場所まで移動させることが可能である、さらには、掲示時にも様々な方向から物理的衝撃が加わった場合でも、従来製品に比べると破損しにくい特徴を有する。
【００１６】  本考案に係る掛軸によれば、掛軸の納経朱印を効率化できるばかりでなく、掛軸の表具完成後も、物理的剛性が高いために落下や運搬による折損を低減することができる。
また、本製品に人体への影響がない、もしくは関連法令及び公衆衛生指針等に基づく数値が軽微である物質を含有もしくは表面等に添加加工すれば、宗教用品やとしてのほか、虫獣害の防除及び防止、カビ防止に寄与する他、遺体安置所及び葬祭場等における異臭および虫媒介伝染病の低減にも利用することができる。
【符号の説明】
【００１７】１  掛軸全体
２  本紙
３  共巻
４  軸棒巻付部
５  八双巻付部
６  主たる納経印及び墨書等の記入欄
７  主たる納経印及び墨書等以外の納経印及び墨書等記入欄
８  教義に添った絵、または文字
９  本紙と仮巻のズレを防止する保持紙
【図１】
0003231042.tif 000003
【手続補正書】
【提出日】令和2年12月2日(2020.12.2)
【手続補正１】
【補正対象書類名】実用新案登録請求の範囲
【補正対象項目名】全文
【補正方法】変更
【補正の内容】
【実用新案登録請求の範囲】
【請求項１】
一聖地につき複数納経印を本紙に記入する為の記載枠が共巻上に升目状に記載された巡礼用掛軸。
【請求項２】
前記複数納経印が、主たる納経印及び墨書と、主たる納経印及び墨書以外の複数の納経印及び墨書である、請求項１に記載の巡礼用掛軸。